(57)【要約】【課題】装置の大型化を招くことなく、原稿が載置される原稿載置部材の周囲を効果的に放熱させて冷却することができ、原稿通過位置近傍の温度が上昇するのを抑制することが可能な画像読取装置を提供することを課題とする。【解決手段】原稿の画像を光源によって照明しつつ、当該原稿の画像を読取る走査光学系を所定の読取位置に停止させた状態で、前記原稿を一定の速度で搬送しつつ、当該原稿の画像を読取る原稿移動読取モードを備えた画像読取装置において、前記原稿移動読取モード時における読取位置の近傍に、外部の空気が流れ込むように、当該原稿移動モード時に、前記読取位置の近傍にエアーフローを形成するエアーフロー形成手段を備え信号をサブキャリア毎に逆拡散する際の重み係数を算出する重み係数算出手段とを備えるように構成して課題を解決した。【選択図】図１
2007293064.tif 000002
【特許請求の範囲】
【請求項１】
原稿の画像を光源によって照明しつつ、当該原稿の画像を読取る走査光学系を所定の読取位置に停止させた状態で、前記原稿を一定の速度で搬送しつつ、当該原稿の画像を読取る原稿移動読取モードを備えた画像読取装置において、
前記原稿移動読取モード時における読取位置の近傍に、外部の空気が流れ込むように、当該原稿移動モード時に、前記読取位置の近傍にエアーフローを形成するエアーフロー形成手段を備えたことを特徴とする画像読取装置。
【請求項２】
前記エアーフロー形成手段は、前記原稿移動モード時における読取位置に隣接する原稿押え部材の少なくとも一部を、原稿載置部から離間させることによって、前記原稿押え部材と原稿載置部との間に、外部の空気が流れるエアーフローを形成することを特徴とする請求項１に記載の画像読取装置。
【請求項３】
前記原稿押え部材は、その内部に空気が流れる流路を備えたことを特徴とする請求項２に記載の画像読取装置。
【請求項４】
前記エアーフロー形成手段は、前記原稿移動読取モード時における読取位置の近傍に、エアーフローを強制的に形成する送風手段を備えたことを特徴とする請求項１乃至３のいずれかに記載の画像読取装置。
【発明の詳細な説明】
【技術分野】
【０００１】
この発明は、電子写真方式等を採用した複写機やプリンター、あるいはファクシミリ等の画像形成装置などに使用される画像読取装置に関し、特に原稿の画像を読み取る読取手段を所定の位置に停止させた状態で、原稿を一定の速度で搬送しつつ、当該原稿の画像を読取手段によって読み取る原稿移動読取モードを備えた画像読取装置に関するものである。
【背景技術】
【０００２】
【特許文献１】実開平３−１０５８５３号公報
【０００３】
従来、この種の電子写真方式等を採用した複写機やプリンター、あるいはファクシミリ等の画像形成装置に使用される画像読取装置としては、原稿をプラテンガラス上に載置した状態で、当該原稿の画像を光源によって照明し、原稿の画像を１枚のフルレートミラーと２枚のハーフレートミラーによって光路を折り返した状態で、結像レンズを介してＣＣＤ等からなる読取素子上に結像させ、光源やフルレートミラー及びハーフレートミラーからなる走査光学系を移動させることにより、原稿の画像を読み取るように構成されている。
【０００４】
また、上記画像読取装置では、原稿をプラテンガラス上に載置した状態で読み取る原稿固定読取モードの他に、光源やフルレートミラー及びハーフレートミラーからなる走査光学系を所定の読取位置に停止させた状態で、原稿を一定の速度で搬送しつつ、当該原稿の画像を停止した走査光学系を介して読み取る原稿移動読取モードを備えるように構成されている場合が多い。
【０００５】
ところで、上記の如く構成される画像読取装置では、原稿移動読取モードで原稿の画像を読み取る際に、走査光学系が所定の位置に停止した状態で、当該原稿の画像を走査光学系を介して読み取ることになるため、所定の位置に停止した光源が読取位置を常時照明することになり、光源自体の温度が上昇し、光源の光量が低下するばかりか不均一となるとともに、読取位置近傍の部材の温度が上昇するという問題点を有していた。
【０００６】
そこで、かかる問題点を解決し得る技術としては、例えば、実開平３−１０５８５３号公報等に開示された技術が既に提案されている。
【０００７】
この実開平３−１０５８５３号公報に係る画像読取装置は、固定される透明板の一方表面に沿って搬送される原稿の前記透明板へ臨む原稿像を、前記透明板の他方表面側に配置される原稿読取手段によって、光学的に前記透明板を介して読取る画像読取装置において、
前記透明板の一方表面側には、前記透明板から原稿の搬送経路を成す間隔を隔てて、前記透明板付近を放熱する放熱手段を設けるように構成したものである。
【発明の開示】
【発明が解決しようとする課題】
【０００８】
しかしながら、上記従来技術の場合には、次のような問題点を有している。すなわち、上記実開平３−１０５８５３号公報に係る画像読取装置の場合には、透明板の一方表面側、つまり当該透明板の原稿を載置する側に、前記透明板から原稿の搬送経路を成す間隔を隔てて、前記透明板付近を放熱する放熱手段を設けるように構成したものであり、この放熱手段と透明板との間には、原稿の搬送経路である空気層が介在するため、効果的な放熱効率を得ることが困難であり、透明板の他方表面側に配置される原稿読取手段内部の温度が、不本意に上昇することが懸念されるという問題点を有していた。
【０００９】
また、上記実開平３−１０５８５３号公報に係る画像読取装置の場合には、透明板から原稿の搬送経路を成す間隔を隔てて配置される放熱手段として、放熱用フィンが用いられているが、当該放熱用フィンによって十分な放熱効果を得るためには、放熱用フィンがある程度の大きさを有する構造体となり、画像読取装置の大型化を招くという問題点を有していた。
【００１０】
そこで、この発明は、上記従来技術の問題点を解決するためになされたものであり、その目的とするところは、装置の大型化を招くことなく、原稿が載置される原稿載置部材の周囲を効果的に放熱させて冷却することができ、原稿通過位置近傍の温度が上昇するのを抑制することが可能な画像読取装置を提供することにある。
【課題を解決するための手段】
【００１１】
すなわち、請求項１に記載された発明は、原稿の画像を光源によって照明しつつ、当該原稿の画像を読取る走査光学系を所定の読取位置に停止させた状態で、前記原稿を一定の速度で搬送しつつ、当該原稿の画像を読取る原稿移動読取モードを備えた画像読取装置において、
前記原稿移動読取モード時における読取位置の近傍に、外部の空気が流れ込むように、当該原稿移動モード時に、前記読取位置の近傍にエアーフローを形成するエアーフロー形成手段を備えたことを特徴とする画像読取装置である。
【００１２】
また、請求項２に記載された発明は、前記エアーフロー形成手段は、前記原稿移動モード時における読取位置に隣接する原稿押え部材の少なくとも一部を、原稿載置部から離間させることによって、前記原稿押え部材と原稿載置部との間に、外部の空気が流れるエアーフローを形成することを特徴とする請求項１に記載の画像読取装置である。
【００１３】
さらに、請求項３に記載された発明は、前記原稿押え部材は、その内部に空気が流れる流路を備えたことを特徴とする請求項２に記載の画像読取装置である。
【００１４】
又、請求項４に記載された発明は、前記エアーフロー形成手段は、前記原稿移動読取モード時における読取位置の近傍に、エアーフローを強制的に形成する送風手段を備えたことを特徴とする請求項１乃至３のいずれかに記載の画像読取装置である。
【発明の効果】
【００１５】
この発明によれば、装置の大型化を招くことなく、原稿が載置される原稿載置部材の周囲を効果的に放熱させて冷却することができ、原稿通過位置近傍の温度が上昇するのを抑制することが可能な画像読取装置を提供することができる。
【発明を実施するための最良の形態】
【００１６】
以下に、この発明の実施の形態について図面を参照して説明する。
【００１７】
実施の形態１
図２はこの発明の実施の形態１に係る画像読取装置の全体を示す断面構成図である。
【００１８】
図２において、１は画像読取装置の筐体を示すものであり、この画像読取装置筐体１は、内面が金属製のフレーム２によって構成され、上端面が大きく開口した略直方体形状の箱体状に形成されている。上記画像読取装置筐体１の上端面には、原稿３を載置する面積の大きな第１のプラテンガラス４が配設されているとともに、当該画像読取装置筐体１の上部には、第１のプラテンガラス４上に原稿３を押圧するプラテンカバーを兼ねた自動原稿搬送装置５（ＡＤＦ：ａｕｔｏ  ｄｏｃｕｍｅｎｔ  ｆｅｅｄｅｒ）が開閉自在に配設されている。また、上記画像読取装置筐体１の上端面には、第１のプラテンガラス４の左側の端部に、原稿３を一定の速度で搬送しつつ、当該原稿３の画像を読み取るための幅の狭い第２のプラテンガラス６が配設されている。さらに、上記第２のプラテンガラス６と第１のプラテンガラス４との間には、当該第１のプラテンガラス４上に載置される原稿３の一端を付き当てて位置決めするための付き当て部材７が取り付けられている。
【００１９】
上記自動原稿搬送装置５は、図２に示すように、原稿押え部材８の左側の端部に、原稿３を自動的に搬送する原稿搬送部９を備えている。この原稿搬送部９は、原稿載置トレイ１０上に載置された原稿３が、給紙ロール１１によって給送されるとともに、ナジャーロール１２とフィードロール１３によって１枚ずつ分離した状態で給紙され、当該原稿３は、原稿搬送路１４に沿って配設された複数組の搬送ロール１５、１６、１７によって一定の速度で搬送されつつ、第２のプラテンガラス６上を通過する際に、後述するように走査光学系によって読み取られるようになっている。上記搬送ロール１５、１６、１７によって搬送された原稿３は、排出ロール１８によってプラテンカバー部８の上面にもうけられた排出トレイ１９上に排出される。
【００２０】
また、上記原稿３の表裏両面の画像を読み取る場合には、片面の画像が読み取られた原稿３を排出ロール１８によってそのまま排出トレイ１９上に排出せずに、原稿３の後端を排出ロール１８によって挟持している間に、当該排出ロール１８を逆転させて表裏反転経路２０へと導入し、この表裏反転経路２０を介して原稿３の表裏を反転した状態で、搬送ロール１５、１６、１７によって一定の速度で搬送されつつ、第２のプラテンガラス６上を通過する際に、原稿３の裏面の画像が後述するように走査光学系によって読み取られるようになっている。
【００２１】
さらに、上記画像読取装置筐体１の内部には、図２に示すように、自動原稿搬送装置５のプラテンカバー部８によって押圧された状態で、プラテンガラス４上に載置された原稿３を照明するキセノンランプ等からなる照明光源２１と、原稿３からの反射光像を水平方向に反射するフルレートミラー２２とが搭載された第１走査ユニット２３が配設されているとともに、前記フルレートミラー２２によって反射された原稿３の反射光像を折り返すように反射する２枚のハーフレートミラー２４、２５が取り付けられた第２走査ユニット２６が配設されている。上記第１及び第２走査ユニット２３、２６は、図１に示すように、副走査方向に沿って配設されたガイドレール２７によって、画像読取装置に対して水平方向に沿ってスライド自在に取り付けられている。また、上記第１及び第２走査ユニット２３、２６は、図示しない駆動モータによって回転駆動される駆動プーリと、当該駆動プーリによって移動する張架ワイヤーとによって、第１走査ユニット２３がスキャン方向に沿って所定の移動速度Ｖで移動可能となっているとともに、第２走査ユニット２６がスキャン方向に沿って所定の移動速度（１／２）Ｖで移動可能となっている。その結果、上記第１及び第２走査ユニット２３、２６は、第１のプラテンガラス４上に載置された原稿３の画像を、光路長を変化させずに走査露光するように構成されている。
【００２２】
また、上記画像読取装置は、図２に示すように、原稿３の画像を光源によって照明しつつ、当該原稿３の画像を読取る走査光学系を所定の読取位置に停止させた状態で、前記読取位置を一定の速度で通過するように前記原稿３を搬送しつつ、当該原稿３の画像を読取る原稿移動読取モードを備えている。この原稿移動読取モード時においては、第１及び第２走査ユニット２３、２６は、図２に示すように、第１走査ユニット２３が第２のプラテンガラス６の直下に位置する読取位置で停止し、当該第２のプラテンガラス６上を一定の速度で移動する原稿３の画像を読み取るようになっている。
【００２３】
さらに、上記画像読取装置筐体１の内部には、図２に示すように、第１及び第２走査ユニット２３、２６によって走査露光される原稿３の画像を結像する結像レンズ２７が固定した状態で配設されているとともに、当該結像レンズ２７によって結像される原稿３の画像を読み取る読取手段としてのＣＣＤセンサー２８が固定した状態で配設されている。そして、上記原稿３の画像は、走査光学系２９を介してＣＣＤセンサー２８上に走査露光され、当該ＣＣＤセンサー２８によって所定のドット密度（例えば、１２００ｄｐｉや２４００ｄｐｉ）で読み取られるように構成されている。
【００２４】
上記ＣＣＤセンサー２８は、ＣＣＤプリント基板３０に取り付けられており、当該ＣＣＤプリント基板３０に設けられた図示しない駆動回路によって駆動されるように構成されている。上記ＣＣＤセンサー２８によって読み取られた原稿３の画像は、例えば、赤（Ｒ）、緑（Ｇ）、青（Ｂ）（各８ｂｉｔ）の３色の画像データとして画像処理／制御回路３１に送られ、当該画像処理／制御回路３１では、原稿３の画像データに対して、シェーディング補正、位置ズレ補正、明度／色空間変換、ガンマ補正、枠消し、色／移動編集等の所定の画像処理が施され、イメージデータが出力される。また、上記画像処理／制御回路３１は、第１及び第２走査ユニット２３、２６を駆動させる図示しない駆動モータを制御することによって、原稿３の画像を所定の倍率で読み取ることが可能となっている。
【００２５】
そして、上記の如く画像処理／制御回路３１で画像処理が施された画像データは、イエロー（Ｙ）、マゼンタ（Ｍ）、シアン（Ｃ）、黒（Ｋ）（各８ｂｉｔ）の４色の画像データに変換され、図示しない複写機やプリンターなどの画像出力装置に出力されるように構成されている。また、上記の如く画像処理／制御回路３１で画像処理が施された画像データは、図示しないパーソナルコンピュータ等に出力され、当該パーソナルコンピュータで所望の処理が行われるように構成されても勿論良い。
【００２６】
ところで、この実施の形態では、原稿の画像を光源によって照明しつつ、当該原稿の画像を読取る走査光学系を所定の読取位置に停止させた状態で、前記原稿を一定の速度で搬送しつつ、当該原稿の画像を読取る原稿移動読取モードを備えた画像読取装置において、前記原稿移動読取モード時における読取位置の近傍に、外部の空気が流れ込むように、当該原稿移動モード時に、前記読取位置の近傍にエアーフローを形成するエアーフロー形成手段を備えるように構成されている。
【００２７】
また、この実施の形態では、前記エアーフロー形成手段は、前記原稿移動モード時における読取位置に隣接する原稿押え部材の少なくとも一部を、原稿載置部から離間させることによって、前記原稿押え部材と原稿載置部との間に、外部の空気が流れるエアーフローを形成するように構成されている。
【００２８】
すなわち、この実施の形態に係る画像読取装置は、図１乃至図３に示すように、第１のプラテンガラス４の上部に原稿押え部材８を備えている。この原稿押え部材８は、原稿３を第１のプラテンガラス４上に押圧するスポンジ等の弾性部材８ａと、当該弾性部材８ａの下端面に接着された白色の合成樹脂製のシート８ｂとによって形成されている。また、上記原稿押え部材８は、例えば、その下端面の周囲が合成樹脂等からなる枠体８ｃによって形成されており、当該枠体８ｃを介して自動原稿搬送装置５の奥側にヒンジ部材によって、当該原稿押え部材８の手前側（フロント側）が開閉自在となっている。
【００２９】
また、上記画像読取装置筐体１には、図４に示すように、第１のプラテンガラス４の手前側（フロント側）に、偏心カム４０と、当該偏心カム４０を駆動するソレノイド４１とが、第１のプラテンガラス４の幅方向にわたって２組配設されている。そして、上記偏心カム４０は、原稿移動読取モード時に、所定のタイミングでソレノイド４１を駆動することによって、図４に示すように回動して、原稿押え部材８の手前側（フロント側）を押し上げ、第１のプラテンガラス４と原稿押え部材８との間に間隙Ｇが形成され、外部の空気が流れ込むようにエアーフローを形成するように構成されている。そのため、原稿移動読取モード時には、第１のプラテンガラス４と原稿押え部材８との間に形成された間隙Ｇを介して、外部の空気が読取位置へと流れ込み、原稿移動読取モード時における読取位置である第２のプラテンガラス６の近傍を冷却するように構成されている。
【００３０】
なお、ソレノイド４１の代用として、クラッチ、マグネット、モータ等も使用することができる。また、偏心カム４０の代用として、アクチュエーターやスプリング等も使用可能である。
【００３１】
以上の構成において、この実施の形態に係る画像読取装置では、次のようにして、装置の大型化を招くことなく、原稿が載置される原稿載置部材の周囲を効果的に放熱させて冷却することができ、原稿通過位置近傍の温度が上昇するのを抑制することが可能となっている。
【００３２】
すなわち、この実施の形態１に係る画像読取装置では、図２に示すように、原稿移動読取モード時に、第１及び第２走査ユニット２３、２６が画像読取装置筐体１の左端部へと移動し、当該第１走査ユニット２３が第２のプラテンガラス６の下方に位置する読取位置へと移動して停止する。
【００３３】
この状態で、上記画像読取装置は、図２に示すように、自動原稿搬送装置５の自動原稿搬送部９によって原稿３を一定の速度で搬送し、当該原稿３を一定の速度で第２のプラテンガラス６上を通過させるようになっている。その際、上記第１走査ユニット２３は、照明光源２１を点灯させて、第２のプラテンガラス６上を一定の速度で移動する原稿３の画像を照明しつつ、当該原稿３からの反射光像を、当該第１走査ユニット２３のフルレートミラー２２、及び第２走査ユニット２６の２枚のハーフレートミラー２４、２５によって反射し、結像レンズ２７を介してＣＣＤセンサー２８上に走査露光することにより、原稿３の画像がＣＣＤセンサー２８によって読取られる。
【００３４】
このとき、上記第１走査ユニット２３に搭載された照明光源２１は、原稿移動読取モード時において、常時点灯した状態となるため、当該照明光源２１の温度が上昇し、照明光源２１の熱によって第１走査ユニット２３自体が加熱され、第１走査ユニット２３の温度も上昇することになる。
【００３５】
ところで、この実施の形態に係る画像読取装置では、図１に示すように、原稿移動読取モード時が図示しないユーザーインターフェース等によって指定されると、ソレノイド４１を駆動することによって、図４に示すように偏心カム４０を回動して、当該偏心カム４０によって原稿押え部材８の手前側（フロント側）を押し上げ、第１のプラテンガラス４と原稿押え部材８との間に間隙Ｇを形成するようになっている。
【００３６】
そのため、上記画像読取装置では、図１に示すように、原稿移動読取モード時に、第１のプラテンガラス４と原稿押え部材８との間に形成された間隙Ｇを介して、周囲から外部の空気が読取位置へと流れ込むようにエアーフローを形成するようになっている。そのため、原稿移動読取モード時には、第１のプラテンガラス４と原稿押え部材８との間に形成された間隙Ｇを介して、外部の空気が読取位置へと流れ込み、原稿移動読取モード時における読取位置である第２のプラテンガラス６の近傍が効果的に冷却される。よって、画像読取装置の読取位置の近傍に配設される部材や、第１走査ユニット２３の照明光源２１の温度が不本意に上昇するのを防止することができる。
【００３７】
そのため、この実施の形態１では、第１走査ユニット２３及び照明光源２１の温度が不本意に上昇することがないので、原稿移動読取モード時に、照明光源２１の温度が上昇することに伴う光源の光量低下や光量のばらつき、及び読取位置近傍に配設された第２のプラテンガラス６等の部材の温度が上昇することに伴う弊害を回避することが可能となっている。
【００３８】
また、この実施の形態１では、原稿押え部材８の手前側（フロント側）を押し上げる偏心カム４０と、ソレノイド４１を設けるだけで良いので、装置の大型化を招くことがない。
【００３９】
なお、図示の実施の形態では、原稿押え部材８の両側にそれぞれ配設された偏心カム４０を、各偏心カム４０に対応して設けられたソレノイド４１によって駆動する場合について説明したが、図７に示すように、原稿押え部材８の両側にそれぞれ配設された偏心カム４０を、リンク機構４２を介して１つのソレノイド４１で駆動することにより、部品点数を低減することができ、装置の小型化やコストダウンが可能となる。
【００４０】
実施の形態２
図８及び図９はこの発明の実施の形態２を示すものであり、前記実施の形態１と同一の部分には同一の符号を付して説明すると、この実施の形態２では、前記原稿押え部材８の手前側（フロント側）のみを押し上げるのではなく、当該原稿押え部材８の全体、つまり原稿押え部材８の四隅を上方へ押し上げることによって、第１のプラテンガラス４と原稿押え部材８との間の全面に間隙Ｇを形成するように構成されている。
【００４１】
すなわち、この実施の形態２では、図８及び図９に示すように、原稿押え部材８の四隅に偏心カム４０とソレノイド４１とがそれぞれ配設されており、各ソレノイド４１を駆動することによって、原稿押え部材８の四隅に設けられた偏心カム４０で、図１０及び図１１に示すように、当該原稿押え部材８の全体を上方に移動させて、第１のプラテンガラス４と原稿押え部材８との間の全面に間隙Ｇを形成するように構成されている。
【００４２】
この実施の形態２では、第１のプラテンガラス４と原稿押え部材８との間の全面に間隙Ｇが形成されるので、原稿移動読取モード時に、第１のプラテンガラス４と原稿押え部材８との間に全面に形成された間隙Ｇを介して、外部の空気が読取位置へと流れ込み、原稿移動読取モード時における読取位置である第２のプラテンガラス６の近傍を、より一層効果的に冷却することができる。よって、画像読取装置の読取位置の近傍に配設される部材や、第１走査ユニット２３の照明光源２１の温度が不本意に上昇するのをより一層確実に防止することができる。
【００４３】
その他の構成及び作用は、前記実施の形態１と同様であるので、その説明を省略する。
【００４４】
実施の形態３
図１２はこの発明の実施の形態３を示すものであり、前記実施の形態１と同一の部分には同一の符号を付して説明すると、この実施の形態３では、前記エアーフロー形成手段は、前記原稿移動読取モード時における読取位置の近傍に、エアーフローを強制的に形成する送風手段を備えるように構成されている。
【００４５】
すなわち、この実施の形態３では、図１２に示すように、原稿押え部材８の左側の端部に、エアーフロー形成手段としての送風ファン５０が配設されており、当該送風ファン５０によってダクト５１を通して送られる空気が、原稿押え部材８の内部に形成された複数の空気の通風溝５２を介して、原稿移動読取モード時に、外部の冷たい空気が第２のプラテンガラス６近傍の読取位置へと送られるように構成されている。なお、上記通風溝５２の断面形状は、図１３に示すように、断面Ｖ字形状であっても、図１４に示すように、断面円形状であっても良い。
【００４６】
そのため、この実施の形態３では、原稿移動読取モード時に、第２のプラテンガラス６近傍の読取位置を強制的に冷却することができ、画像読取装置の読取位置の近傍に配設される部材や、第１走査ユニット２３の照明光源２１の温度が不本意に上昇するのをより一層確実に防止することができる。
【００４７】
また、この実施の形態３では、送風ファン５０を原稿押え部材８の右側の端部に配設した場合に限らず、図１５に示すように、送風ファン５０を原稿搬送部９の左側の端部に配設し、当該送風ファン５０によって画像読取装置の読取位置の近傍に送風するように構成しても良い。
【００４８】
この場合でも、図１５に示すように、原稿押え部材８の内部に断面Ｖ字形状に形成された複数の空気の通風溝５２を設けることにより、当該複数の空気の流路を介して、原稿移動読取モード時に、画像読取装置の読取位置で暖められて空気を外部に排出することができ、第２のプラテンガラス６近傍の読取位置を強制的に冷却することができる。
【００４９】
なお、上記実施の形態１又は２と実施の形態３とを組合わせて、送風ファン５０による送風時に、原稿押え部材８の少なくとも一部を上方に移動させることにより、第１のプラテンガラス４と原稿押え部材８との間に間隙Ｇを形成しても、第２のプラテンガラス６近傍の読取位置をより一層効果的に冷却することができる。
【００５０】
その他の構成及び作用は、前記実施の形態１と同様であるので、その説明を省略する。
【図面の簡単な説明】
【００５１】
【図１】図１はこの発明の実施の形態１に係る画像読取装置の要部を示す断面構成図である。
【図２】図２はこの発明の実施の形態１に係る画像読取装置を示す断面構成図である。
【図３】図３はこの発明の実施の形態１に係る画像読取装置の要部を示す断面構成図である。
【図４】図４はこの発明の実施の形態１に係る画像読取装置の要部を示す断面構成図である。
【図５】図５はこの発明の実施の形態１に係る画像読取装置の動作を示す要部説明図である。
【図６】図６はこの発明の実施の形態１に係る画像読取装置の動作を示す要部説明図である。
【図７】図７はこの発明の実施の形態１に係る画像読取装置の変形例を示す要部構成図である。
【図８】図８はこの発明の実施の形態２に係る画像読取装置の要部を示す側面構成図である。
【図９】図９はこの発明の実施の形態２に係る画像読取装置の動作を示す説明図である。
【図１０】図１０はこの発明の実施の形態２に係る画像読取装置の動作を示す説明図である。
【図１１】図１１はこの発明の実施の形態２に係る画像読取装置の動作を示す説明図である。
【図１２】図１２はこの発明の実施の形態３に係る画像読取装置を示す構成図である。
【図１３】図１３は通風溝を示す断面構成図である。
【図１４】図１４は通風溝を示す断面構成図である。
【図１５】図１５はこの発明の実施の形態３に係る画像読取装置の変形例を示す構成図である。
【図１６】図１６は通風溝を示す断面構成図である。
【００５２】
１：画像読取装置筐体、３：原稿、４：第１のプラテンガラス、８：原稿押え部材、２３、２６：第１及び第２走査ユニット、４０：偏心カム、４１：ソレノイド。
【図１】
2007293064.tif 000003
【図２】
2007293064.tif 000004
【図３】
2007293064.tif 000005
【図４】
2007293064.tif 000006
【図５】
2007293064.tif 000007
【図６】
2007293064.tif 000008
【図７】
2007293064.tif 000009
【図８】
2007293064.tif 000010
【図９】
2007293064.tif 000011
【図１０】
2007293064.tif 000012
【図１１】
2007293064.tif 000013
【図１２】
2007293064.tif 000014
【図１３】
2007293064.tif 000015
【図１４】
2007293064.tif 000016
【図１５】
2007293064.tif 000017
【図１６】
2007293064.tif 000018